(57)【要約】【課題】基本装置の構成部品点数を削減して、小型化・低コスト化を実現するとともに、除湿空調能力を維持しつつ省エネ運転が可能な除湿空調装置を提供する。【解決手段】処理側流路１４と、該処理側流路１４の対向流を成すように再生用空気が送気される再生側流路１６と、除湿ロータ３０と、顕熱交換器３２と、前記再生用空気を加熱する加熱手段４２と、前記除湿ロータ及び顕熱交換器で処理された処理用空気の一部を、前記除湿ロータよりも上流側の前記処理側流路に循環させる循環流路４４とを備えたことを特徴とする除湿空調装置。【選択図】  図１
2008116086.tif 000002
【特許請求の範囲】
【請求項１】
室内に給気される処理用空気が処理側ファンによって送気される処理側流路と、
該処理側流路の対向流を成すように再生用空気が再生側ファンによって送気される再生側流路と、
前記処理側流路と前記再生側流路に跨って設けられ、回転することよって内部の除湿材が前記処理側流路で処理用空気に接触するとともに前記再生側流路で再生用空気に接触する除湿ロータと、
前記処理側流路と前記再生側流路に跨って設けられ、前記除湿ロータで除湿された処理用空気と前記再生用空気との顕熱の交換を行う顕熱交換器と、
前記除湿ロータと前記顕熱交換器の間の再生側流路に設けられ、前記再生用空気を加熱する加熱手段と、
前記除湿ロータ及び顕熱交換器で処理された処理用空気の一部を、前記除湿ロータよりも上流側の前記処理側流路に循環させる循環流路と、
を備えたことを特徴とする除湿空調装置。
【請求項２】
前記処理側流路から前記室内に給気される処理用空気の流量を制御する定流量ダンパと、
前記循環流路に設けられ、該循環流路を流れる処理用空気の流量を制御する循環流量操作用ダンパと、
前記顕熱交換器で処理された処理用空気の温湿度を測定する温湿度センサと、
前記処理側ファンの回転数を制御する処理側インバータと、を備え、
前記温湿度センサの測定値と前記定流量ダンパの操作量に応じて、前記循環流量操作用ダンパ及び前記処理側インバータが操作されることを特徴とする請求項１に記載の除湿空調装置。
【請求項３】
前記室内に供給される処理用空気の圧力を測定する圧力センサを備え、
前記圧力センサの測定値に基づいて前記処理側インバータが制御されることを特徴とする請求項２に記載の除湿空調装置。
【請求項４】
前記処理側流路は複数の流路に分割され、該複数の流路を流れる処理用空気がそれぞれ前記除湿ロータと前記顕熱交換器を通過するとともに、
前記分割された流路の少なくとも一つの流路の出口部が、前記循環流路を介して、他の流路の入口部に接続されることを特徴とする請求項１〜３のいずれか１項に記載の除湿空調装置。
【請求項５】
前記循環流路には、該循環流路を流れる処理用空気を冷却する冷却手段が設けられていることを特徴とする請求項１〜４のいずれか１項に記載の除湿空調装置。
【請求項６】
前記再生側ファンの回転数を制御する再生側インバータを備え、
該再生側インバータは前記処理側ファンの回転数に応じて制御されることを特徴とする請求項１〜５のいずれか１項に記載の除湿空調装置。
【発明の詳細な説明】
【技術分野】
【０００１】
本発明は、除湿空調装置に係り、特に一般事務所ビルや病院設備などに供給する外気を除湿する除湿空調装置に関する。
【背景技術】
【０００２】
一般事務所や病院設備などのビル設備では、ビル管理法により在室人員に応じて必要な外気の導入が行われる。セントラル方式の空調設備では、外気処理用空調機を設置し、必要な外気を冷却除湿して温調した後室内へ供給する。しかし、近年は省エネ法の改正などに伴いビル設備の消費エネルギーへの規制が強化されたこともあり、コージェネレーション設備など消費エネルギーを削減する取り組みが進んでいる。このコージェネレーションの効率向上のためには、発生する低レベル温熱を有効利用する必要があり、低温熱源を利用して外気を除湿する除湿空調装置が注目されている。
【０００３】
しかし、この種の除湿空調装置では、コージェネレーション設備から得られる８０℃程度の温水では、除湿性能が限られているため、夏期ピークの外気条件では室内に供給するのに十分な湿度まで除湿することが困難であった。
【０００４】
この問題を解決するため、除湿ロータを複数用いて除湿・冷却を繰り返すことにより、除湿性能を高める除湿空調装置が、特許文献１に示されている。
【０００５】
特許文献１に開示される除湿空調装置を、図７に示す。除湿空調装置内部に流通する空気は、除湿される空気である室内取込用外気と高温加熱されて水分放出に使用される再生用空気の２つに分かれている。装置は、２つの除湿ロータ（除湿ロータ１、除湿ロータ２）、２つの顕熱交換ロータ（顕熱交換ロータ３、顕熱交換ロータ４）および２つの加熱器（加熱器５、加熱器６）と蒸発式冷却器７、蒸発式冷却器８から構成される。
【０００６】
室内取込用外気は送風手段により除湿ロータ２の処理領域を通過し一段目の除湿が行われた後、顕熱交換ロータ４で再生用空気と顕熱交換し冷却される。しかし、外気条件が夏期ピーク状態に近い場合には、１段目の除湿では不十分であるため、さらに除湿ロータ１、顕熱交換ロータ３を通過し、より低湿度の空気となって室内に給気される。
【０００７】
一方、再生用空気は送風手段により顕熱交換ロータ３に導入され、室内取込用空気と顕熱交換した後、温水などのコージェネレーション設備から供給される低温熱源により加熱され、除湿ロータ１を再生領域に導入される。加熱された再生用空気は、除湿ロータ１を再生し、高除湿空気となって系外に排出される。顕熱交換ロータ４、除湿ロータ２でも同様に顕熱交換および再生が行われる。
【０００８】
したがって、特許文献１に開示される除湿空調装置によれば、除湿装置を二段化して直列に接続することで、熱源が低温の場合でも、夏期外気を室内に供給可能な水分量まで除湿することが可能となる。
【特許文献１】特開２００１−２７２０５５号公報
【発明の開示】
【発明が解決しようとする課題】
【０００９】
しかしながら、特許文献１に開示される従来の除湿空調装置の構成では、除湿ロータ及び顕熱交換ロータが複数台必要となり、機器製造のコストが増加するほか、機器寸法が大きくなり設置面積が必要となる問題点があった。また、構成機器が複数台となることで、室内空気を複数回加熱する必要があり、熱源の使用量自体が増加する懸念もあった。
【００１０】
本発明はこのような事情に鑑みてなされたもので、上記の欠点を解消し、基本装置の構成部品点数を削減して、小型化・低コスト化を実現するとともに、除湿空調能力を維持しつつ省エネ運転が可能な除湿空調装置を提供することを目的とする。
【課題を解決するための手段】
【００１１】
請求項１に記載の発明は前記目的を達成するために、室内に給気される処理用空気が処理側ファンによって送気される処理側流路と、該処理側流路の対向流を成すように再生用空気が再生側ファンによって送気される再生側流路と、前記処理側流路と前記再生側流路に跨って設けられ、回転することよって内部の除湿材が前記処理側流路で処理用空気に接触するとともに前記再生側流路で再生用空気に接触する除湿ロータと、前記処理側流路と前記再生側流路に跨って設けられ、前記除湿ロータで除湿された処理用空気と前記再生用空気との顕熱の交換を行う顕熱交換器と、前記除湿ロータと前記顕熱交換器の間の再生側流路に設けられ、前記再生用空気を加熱する加熱手段と、前記除湿ロータ及び顕熱交換器で処理された処理用空気の一部を、前記除湿ロータよりも上流側の前記処理側流路に循環させる循環流路とを備えたことを特徴とする除湿空調装置を提供する。
【００１２】
請求項１の発明によれば、除湿ロータ及び顕熱交換器で処理された処理用空気の一部を、循環流路によって除湿ロータより上流側の処理側流路に戻すようにしたので、除湿ロータより上流側の処理用空気の湿度を低下させることができる。したがって、除湿ロータで除湿することによって、低湿度の処理用空気を製造することができる。
【００１３】
また、請求項１の発明によれば、一台の除湿ロータと一台の顕熱交換器という単純な装置構成においても高い除湿性能を得ることができる。したがって、装置構成の部品点数を削減することができ、装置の小型化、低コスト化を図ることができる。
【００１４】
請求項２に記載の発明は請求項１において、前記処理側流路から前記室内に給気される処理用空気の流量を制御する定流量ダンパと、前記循環流路に設けられ、該循環流路を流れる処理用空気の流量を制御する循環流量操作用ダンパと、前記顕熱交換器で処理された処理用空気の温湿度を測定する温湿度センサと、前記処理側ファンの回転数を制御する処理側インバータとを備え、前記温湿度センサの測定値と前記定流量ダンパの操作量に応じて、前記循環流量操作用ダンパ及び前記処理側インバータが操作されることを特徴とする。
【００１５】
請求項２の発明によれば、温湿度センサの測定値に基づいて循環流量を調節するので、処理用空気を所望の温湿度に制御することができる。さらに、請求項２の発明によれば、定流量ダンパを設けるとともに、処理側インバータを操作するようにしたので、循環流量を調節した場合にも、室内に所定の流量の処理用空気を供給することができる。したがって、請求項２の発明によれば、所望の温湿度で所定流量の処理用空気を室内に供給することができる。
【００１６】
請求項３に記載の発明は請求項２において、前記室内に供給される処理用空気の圧力を測定する圧力センサを備え、前記圧力センサの測定値に基づいて前記処理側インバータが制御されることを特徴とする。
【００１７】
請求項３の発明によれば、室内に給気される処理用空気の圧力を測定して処理側インバータを制御し、処理用空気の送気量を調節するようにしたので、室内に所定流量の処理用空気を確実に給気することができる。
【００１８】
請求項４に記載の発明は請求項１〜３のいずれかにおいて、前記処理側流路は複数の流路に分割され、該複数の流路を流れる処理用空気がそれぞれ前記除湿ロータと前記顕熱交換器を通過するとともに、前記分割された流路の少なくとも一つの流路の出口部が、前記循環流路を介して、他の流路の入口部に接続されることを特徴とする。
【００１９】
請求項４の発明によれば、処理側流路が複数の流路に分割されるとともに、その一つの流路の出口部と他の流路の入口部とが循環流路で接続されているので、処理用空気は一つの流路を通過した後、該循環流路を介して他の流路を流れる。したがって、処理用空気の一部は除湿ロータと顕熱交換器に繰り返し供給されて処理される。よって、除湿性能を高めることができ、より低湿度の処理用空気を製造することができる。
【００２０】
なお、循環流路は、除湿ロータの回転方向に対して下流側の流路の出口部と上流側の流路の入口部とを接続することが好ましい。これにより、下流側の流路で除湿された処理用空気が、除湿性能の高い上流側の流路に流れるので、上流側の流路における除湿性能をさらに高めることができ、より低湿度の処理用空気を製造することができる。
【００２１】
請求項５に記載の発明は請求項１〜４のいずれかにおいて、前記循環流路には、該循環流路を流れる処理用空気を冷却する冷却手段が設けられていることを特徴とする。
【００２２】
請求項５の発明によれば、循環流路を流れる処理用空気を冷却するようにしたので、除湿ロータに送気される処理側空気の温度を低下させることができる。したがって、除湿ロータにおける除湿性能をさらに高めることができる。
【００２３】
請求項６に記載の発明は請求項１〜５のいずれかにおいて、前記再生側ファンの回転数を制御する再生側インバータを備え、該再生側インバータは前記処理側ファンの回転数に応じて制御されることを特徴とする。
【００２４】
請求項６の発明によれば、処理用空気の風量に応じて再生用空気の風量が調節されるので、より省エネ運転を行うことができる。
【発明の効果】
【００２５】
本発明に係る除湿空調装置によれば、除湿ロータと顕熱交換器の各１台を構成要素とする単純な装置構造においても高い除湿性能を有する除湿空調装置を提供することができる。
【００２６】
また、本発明に係る除湿空調装置によれば、小型・低コストで高性能な除湿性能を実現し、さらに、出口状態をモニタリングして運転状態を変更することで、熱源使用量を低減した省エネ運転可能な除湿空調装置を実現できる。
【発明を実施するための最良の形態】
【００２７】
以下、添付図面に従って本発明に係る除湿空調装置の好ましい実施形態について説明する。
【００２８】
図１は、本発明に係る除湿空調装置の第１の実施形態を示す概略構成図である。
【００２９】
図１に示すように、本実施の形態に係る除湿空調装置１０は、筐体１２を有し、この筐体１２内が、処理側流路１４と再生側流路１６に区分けされている。
【００３０】
処理側流路１４は、処理用空気を取り込んで室内空間（図示しない）に送風するための流路である。筐体１２の両側面には、処理用空気取込口１８と処理用空気出口２０が形成され、筐体１２内部の処理用空気取込口１８の付近には、処理側ファン２２が設けられている。この処理側ファン２２により、処理側流路１４に処理用空気取込口１８から処理用の空気が送り込まれ、処理用空気出口２０へ向けて流れるようになっている。
【００３１】
再生側流路１６は、再生用の空気を取り込んで排出する流路である。筐体１２の両側面には、再生用空気取込口２４と再生用空気出口２６が形成され、筐体１２内部の再生用空気出口２６の付近には、再生側ファン２８が設けられている。この再生側ファン２８により、再生側流路１６に再生用空気取込口２４から再生用空気が送り込まれ、再生用空気出口２６へ向けて流れるようになっている。なお、再生用の空気は、外気を用いてもよいし、室内からの排気を利用してもよい。
【００３２】
筐体１２の内部には、処理用空気取込口１８及び再生用空気出口２６に近い方から順番に、除湿ロータ３０と顕熱交換器３２が配置されている。
【００３３】
除湿ロータ３０は、円盤形状をしており、その側面部分（円盤面）が、処理側流路１４及び再生側流路１６を通過する空気の流れと直交するように配置されている。
【００３４】
また、除湿ロータ３０は、塩化リチウムやシリカゲル等の除湿剤を含浸させたハニカム状の不織布をロータ状に形成したものであり、図示しないモータに駆動されて回転する。
【００３５】
さらに、除湿ロータ３０は、処理側流路１４及び再生側流路１６の空気の流れと直交する向きに回転しながら、処理側流路１４及び再生側流路１６との間を移動して、処理側流路１４において処理用空気取込口１８から取り込まれた再生用空気と接触して、再生用空気を除湿する一方、再生側流路１６において加熱された再生用空気と接触して加熱再生される。すなわち、除湿ロータ３０は、処理側流路１４において処理用空気を除湿する除湿領域３４と、再生側流路１６において加熱された再生用空気と接触して加熱再生される再生領域３６を有している。
【００３６】
一方、顕熱交換器３２は、円盤形状をしており、その側面部分（円盤面）が、処理側流路１４及び再生側流路１６を通過する空気の流れと直交するように配置されている。
【００３７】
また、顕熱交換器３２は、アルミニウム等の金属材料をロータ状に形成したものであり、図示しないモータに駆動されて回転する。
【００３８】
さらに、顕熱交換器３２は、除湿ロータ３０と同様に、処理側流路１４と再生側流路１６との間を回転しながら、再生側流路１６において再生用空気と接触して、再生用空気から冷熱を回収する一方、その回収した冷熱を処理側流路１４において、除湿された処理用空気に付与し、処理用空気と再生用空気との熱交換を行う。すなわち、顕熱交換器３２は、再生側流路１６と通過する再生用空気から冷熱を回収する放熱領域３８と、処理側流路１４において除湿された処理用空気と熱交換を行う冷却領域４０を有している。
【００３９】
除湿ロータ３０と顕熱交換器３２とで挟まれる再生側流路１６の内部には、ヒータ（加熱手段）４２が設けられており、このヒータ４２によって、顕熱交換器３２の放熱領域３８を通過した再生用空気を所定の温度にまで加熱する。
【００４０】
本実施の形態に係る除湿空調装置１０には、循環流路４４が設けられている。そして、この循環流路４４の一方の端部は処理用空気取込口１８に接続され、また、循環流路４４の他方の端部は処理用空気出口２０に接続されており、除湿ロータ３０及び顕熱交換器３２で処理された処理用空気の一部を除湿ロータ３０よりも上流側の処理側流路１４に再度送り込む。
【００４１】
循環流路４４には、循環流量操作用ダンパ４６が設けられており、この循環流量操作用ダンパ４６によって、循環流路４４を流れる処理用空気の流量を制御することができる。
【００４２】
処理側流路１４内の顕熱交換器３２と処理用空気出口２０との間には、温湿度センサ４８が設けられており、処理側流路１４内で処理された処理用空気の温度及び湿度を検出する。
【００４３】
処理用空気出口２０と室内（図示しない）は、ライン４９を介して連結されており、このライン４９には、定流量ダンパ５０が設けられている。この定流量ダンパ５０は、室内に給気される処理用空気の空気量を所定の一定値に制御する。
【００４４】
処理側ファン２２には、処理側インバータ５２が接続されており、この処理側インバータ５２によって、処理側ファン２２の回転数が制御される。
【００４５】
処理側インバータ５２には、温湿度センサ４８及び定流量ダンパ５０が電気的に接続されており、この処理側インバータ５２によって、温湿度センサ４８の検出結果と定流量ダンパの操作量に応じて、処理側ファン２２の回転数が制御される。
【００４６】
また、循環流量操作用ダンパ４６には、温湿度センサ４８及び定流量ダンパ５０が電気的に接続されており、温湿度センサ４８の検出結果と定流量ダンパの操作量に応じて、循環流量操作用ダンパ４６の開度が調整される。
【００４７】
次に、本実施の形態に係る除湿空調装置を用いて、室内空間の除湿を行う場合について説明する。
【００４８】
処理側流路１４では、処理側ファン２２を駆動させることによって、処理用空気取込口１８から処理用空気が処理側流路１４送り込まれる。処理用空気取込口１８から取り込まれた空気は、除湿ロータ３０の除湿領域３４を通過することにより、該空気中に含まれる水分が除湿ロータ３０内の除湿材に吸着される。吸着される際に発生する吸着熱により除湿処理された空気が加熱され、顕熱交換器３２の冷却領域において顕熱の交換を行うことにより冷却されて処理用空気出口２０から室内に給気される。
【００４９】
一方、再生側流路１６においては、再生側ファン２８を駆動させることによって、再生用空気取込口２４から再生用空気が再生側流路１６に送り込まれる。再生側流路１６へ取り込まれた再生用空気は、顕熱交換器３２の放熱領域３８を通過することにより、顕熱交換器３２において顕熱の交換を行うことにより加熱され、ヒータ４２において除湿ロータ３０の再生領域３６の湿分を除去するのに必要な温度まで加熱されて除湿ロータ３０を通過する。除湿ロータ３０は回転しているので、除湿ロータ３０内の除湿材が処理側流路１４と再生側流路１６とを循環しており、再生側流路１６で加熱された再生用空気によって、処理側流路１４において除湿材に吸着した水分が除去されて除湿材が再生される。その際に生じる気化熱により、再生用空気が冷却されて再生用空気出口２６から室外へと排出される。
【００５０】
ところで本実施の形態では、除湿ロータ３０及び顕熱交換器３２で処理された処理用空気の一部を、循環流路４４によって除湿ロータ３０より上流側の処理側流路１４に再び送り込むようにしている。したがって、除湿ロータ３０より上流側の処理用空気の湿度を低下させることができ、除湿ロータ３０で除湿することによって、低湿度の空気を製造することができる。
【００５１】
また、本実施の形態によれば、一台の除湿ロータ３０と一台の顕熱交換器３２という単純な装置構成においても高い除湿性能を得ることができる。したがって、装置構成の部品点数を削減することができ、装置の小型化、低コスト化を図ることができる。
【００５２】
さらに、本実施の形態によれば、温湿度センサ４８の測定値に基づいて循環流量を調節するので、処理用空気を所望の温湿度に制御することができる。そして、定流量ダンパ５０を設けるとともに、処理側ファン２２の処理側インバータ５２を操作するようにしたので、循環流量を調節した場合にも、室内に所定の流用の処理用空気を給気することができる。この結果、所望の温湿度で所定流量の処理用空気を室内に供給することができる。
【００５３】
次に、本発明に係る除湿空調装置の第２の実施形態について説明する。なお、上記実施の形態と共通する部分については同一の符号を付しその詳細な説明を省略する。
【００５４】
図２に示す第２の実施形態の除湿空調装置１０Ａは、図１に示した第１の実施形態と比べて、処理側流路１４で処理された空気が室内空間に至る流路において、定流量ダンパ５０と処理側流路１４の間に圧力センサ５４が設けられている点で異なっている。この圧力センサ５４は、処理側インバータ５２と電気的に接続されている。そして、この処理側インバータ５２は、圧力センサ５４の検出結果に基づき、処理側ファン２２の回転数を制御して、処理側流路１４に送り込まれる処理用空気の流入量を制御する。
【００５５】
本実施の形態に係る除湿空調装置１０Ａによれば、室内に給気される処理用空気の圧力を測定して処理側ファン２２の処理側インバータ５２を制御し、処理用空気の送気量を調節するようにしたので、室内に所定流量の処理用空気を確実に給気することができる。
【００５６】
図３に示す第３の実施形態の除湿空調装置１０Ｂは、図１に示した第１の実施形態と比べて、循環流路４４Ｂの途中に冷却手段５６が設けられている点で異なっている。この冷却手段５６は、循環流路４４Ｂを流れる処理用空気を冷却する。
【００５７】
本実施の形態に係る除湿空調装置１０Ｂによれば、循環流路４４Ｂを流れ再び処理側流路１４に送り込まれる処理用空気の温度を低下させることができるので、除湿ロータ３０における除湿性能をさらに高めることができる。したがって、除湿空調能力を維持しながら省エネ運転を行うことができる。
【００５８】
図４に示す第４の実施形態の除湿空調装置１０Ｃは、図１に示した第１の実施形態と比べて、第１の実施形態に係る処理側流路１４が、高湿度用処理側流路１４Ａと低湿度用処理側流路１４Ｂに分割され、さらに、高湿度用処理側流路１４Ａの出口部が、循環流路４４Ｃを介して、低湿度用処理側流路１４Ｂの入口部に接続されている点が異なっている。なお、高湿度用処理側流路１４Ａは、除湿ロータ３０の回転方向に対して、低湿度用処理側流路１４Ｂより下流側に設けられる。
【００５９】
また、除湿ロータ３０Ｃは、高湿度用処理側流路１４Ａを流れる処理用空気が通過する高湿度用空気除湿領域３４Ａ及び、低湿度用処理側流路１４Ｂを流れる処理用空気が通過する低湿度用空気除湿領域３４Ｂを有している。
【００６０】
さらに、顕熱交換器３２Ｃは、高湿度用処理側流路１４Ａを流れる再生用空気が通過する高湿度用空気冷却領域４０Ａ及び、低湿度用処理側流路１４Ｂを流れる再生用空気が通過する低湿度用空気冷却領域４０Ｂを有している。
【００６１】
本実施の形態に係る除湿空調装置１０Ｃによれば、処理側流路１４が高湿度用処理側流路１４Ａと低湿度用処理側流路１４Ｂに分割されるとともに、高湿度用処理側流路１４Ａの出口部と低湿度用処理側流路１４Ｂの入口部とが循環流路４４Ｃを介して接続されているので、処理用空気は高湿度用処理側流路１４Ａを通過した後、循環流路４４Ｃを介して低湿度用処理側流路１４Ｂを流れる。したがって、処理用空気の一部は、除湿ロータ３０Ｃと顕熱交換器３２Ｃに二度供給されて処理される。この結果、除湿性能を高めることができ、より低湿度の処理用空気を製造することができる。
【００６２】
図５に示す第５の実施形態の除湿空調装置１０Ｄは、図４に示した第４の実施形態と比べて、循環流量４４Ｄの途中に冷却手段５６Ｄが設けられている点で異なっている。
【００６３】
本実施の形態に係る除湿空調装置１０Ｄによれば、循環流路４４Ｄを流れ低湿度用処理側流路１４Ｂに送り込まれる処理用空気の温度を低下させることができるので、除湿空調装置自体の除湿性能をさらに向上させることができる。これにより、除湿ロータ３０Ｄにおける除湿性能をさらに高めることができるので、除湿空調能力を維持しながら省エネ運転を行うことができる。
【００６４】
図６に示す第６の実施形態の除湿空調装置１０Ｅは、図４に示した第４の実施形態と比べて、排気側インバータ５８が設けられている点で異なっている。排気側インバータ５８は、処理側インバータ５２と電気的に接続されており、処理側ファン２２の回転数に応じて再生側ファン２８の回転数を制御する。
【００６５】
本実施の形態に係る除湿空調装置１０Ｅによれば、処理用空気の風量に応じて再生用空気の風量が調整されるので、除湿空調能力を維持しながらさらなる省エネ運転を行うことができる。
【００６６】
なお、本発明は上述の実施の形態に限られることなく、種々の変更を行うことができる。
【００６７】
例えば、上記実施の形態においては、処理側流路を高湿度用処理側流路と低湿度用処理側流路に分割し、高湿度用処理側流路の出口部と低湿度用処理側流路の入口部を、循環流路を介して接続する例を説明したが、本発明はこれに限られず、処理側流路を二以上の複数の流路に分割し、分割された複数の流路の少なくとも一つの流路の出口部が、循環流路を介して、他の流路の入口部に接続されるようにすることもできる。
【図面の簡単な説明】
【００６８】
【図１】本発明に係る除湿空調装置の第１の実施形態を示す概略構成図
【図２】本発明に係る除湿空調装置の第２の実施形態を示す概略構成図
【図３】本発明に係る除湿空調装置の第３の実施形態を示す概略構成図
【図４】本発明に係る除湿空調装置の第４の実施形態を示す概略構成図
【図５】本発明に係る除湿空調装置の第５の実施形態を示す概略構成図
【図６】本発明に係る除湿空調装置の第６の実施形態を示す概略構成図
【図７】従来技術における除湿空調装置を示す概略構成図
【符号の説明】
【００６９】
１０…除湿空調装置、１２…筐体、１４…処理側流路、１６…再生側流路、１８…処理用空気取込口、２０…処理用空気出口、２２…処理側ファン、２４…再生用空気取込口、２６…再生用空気出口、２８…再生側ファン、３０…除湿ロータ、３２…顕熱交換器、３４…除湿領域、３６…再生領域、３８…放熱領域、４０…冷却領域、４２…加熱手段、４４…循環流路、４６…循環流量操作用ダンパ、４８…温湿度センサ、５０…定流量ダンパ、５２…処理側インバータ、５４…圧力センサ、５６…冷却手段、５８…再生側インバータ
【図１】
2008116086.tif 000003
【図２】
2008116086.tif 000004
【図３】
2008116086.tif 000005
【図４】
2008116086.tif 000006
【図５】
2008116086.tif 000007
【図６】
2008116086.tif 000008
【図７】
2008116086.tif 000009